(57)【要約】  【課題】  分散型電源の連系による逆潮流の影響を考慮したものである。  【解決手段】  配電系統に接続される分散型電源ＤＧ1〜ＤＧnには、変流器ＣＴ1〜ＣＴnを設ける。この変流器ＣＴ1〜ＣＴnにより検出した分散型電源ＤＧ1〜ＤＧnの逆潮流の量ＩDG1〜ＩDGnを、通信線路ＣＬ1〜ＣＬnを介して電圧調整継電器90Ryに伝送する。電圧調整継電器90Ryは、伝送されてきた逆潮流の量ＩDG1〜ＩDGnの総和を求め、その総和値にバンク２次電流Ｉsを加算し、基準電圧値を算出する。このようにして電圧調整継電器90Ryの基準電圧値を設定すると、逆潮流の総和値の分だけ、基準電圧値Ｖs2を、負荷電流Ｉs1だけによる基準電圧値Ｖｓ1より高い値に設定できるようになる。  【選択図】  図１
2005266988.tif 000002
【特許請求の範囲】
【請求項１】
配電系統の複数の配電線に複数の分散型電源を有するとともに、その配電系統にバンク２次側電圧を調整するタップ切換変圧器を有し、その変圧器のバンク２次側電圧をタップ切換により制御する電圧調整継電器を備え、そのタップ切換を電圧調整継電器に設定する基準電圧により制御する方法において、
基準電圧は、複数の分散型電源の逆潮流量総和値を求めた後に、その総和値とバンク２次側電流値とを加算し、その加算により得られた値に基づいて算出することを特徴とする電圧調整継電器の基準電圧算出方法。
【請求項２】
配電系統の複数の配電線に複数の分散型電源を有するとともに、その配電系統にバンク２次側電圧を調整するタップ切換変圧器を有し、その変圧器のバンク２次側電圧をタップ切換により制御する電圧調整継電器を備え、そのタップ切換を電圧調整継電器に設定する基準電圧により制御する方法において、
配電系統の全ての配電線の電流を電圧調整に入力した後に、各配電線のインピーダンス特性から各配電線電流に対して、重負荷電圧と電流、軽負荷電圧と電流を整定してから、各配電線に対し基準電圧を求め、求めた基準電圧の中で最も高い電圧値を算出して電圧調整継電器の基準電圧することを特徴とする電圧調整継電器の基準電圧算出方法。
【発明の詳細な説明】
【技術分野】
【０００１】
この発明は、バンク２次側電圧を調整するための変圧器タップを制御する電圧調整継電器（90Ry）の基準電圧算出方法に関するものである。
【背景技術】
【０００２】
図５に示すように、タップ切換変圧器Ｔtapの２次側の配電系統に分散型電源ＤＧ１〜ＤＧ３が接続されると、その変圧器Ｔtapの２次側は、分散型電源ＤＧ１〜ＤＧ３の連系による影響を受けることが知られている。この影響を低減するために前記変圧器Ｔtapには、電圧調整継電器90Ryを併用する手段が採用されている。
【０００３】
電圧調整継電器90Ryには、電圧調整のためにバンク２次側電圧Ｖを補助変圧器ＰＴから供給され、バンク２次側電流Ｉを変流器ＣＴから供給されている。そして、電圧調整のために、バンク２次側電圧Ｖから基準電圧値Vsを算出する際、バンク２次側電流Ｉを負荷電流Isとして、次に示す図６のようにして基準電圧値Ｖsを算出する手段をとっている。
【０００４】
図６において、横軸には負荷電流Is、縦軸にはバンク２次側電圧Vを取っている。図中、V MAXは重負荷電圧整定値、V MINは軽負荷電圧整定値、I MAXは重負荷電流整定値、I MINは軽負荷電流整定値である。
【特許文献１】特開平１１−２３１９４９号公報
【発明の開示】
【発明が解決しようとする課題】
【０００５】
上述のようにしてタップ切換変圧器の２次側に分散型電源が接続されると、その変圧器の２次側は、分散型電源の連系による逆潮流の影響を受けて、電圧調整継電器90Ryの基準電圧値Ｖsの設定に影響が生じることが知られている。
【０００６】
特に、配電系統に複数の分散型電源が存在し、連系される場合に、タップ切換変圧器の２次側の負荷電流Ｉsが見かけ上減少するため、基準電圧算出のために、変圧器２次側電源を用いた電圧調整継電器90Ryは、基準電圧値Ｖsを分散型電源が未連系の場合より低い値に算出される。
【０００７】
このため、配電系統に複数の分散型電源が存在するような場合、電圧調整継電器90Ryの基準電圧値Ｖsは、分散型電源の未連系時より低く調整するように、変圧器Ｔtapのタップを操作しなければならない問題がある。
【０００８】
この発明は、上記の事情に鑑みてなされたもので、分散型電源の連系による逆潮流の影響を考慮した電圧調整継電器の基準電圧算出方法を提供することを課題とする。
【課題を解決するための手段】
【０００９】
この発明は、上記の課題を達成するために、第１発明は、配電系統の複数の配電線に複数の分散型電源を有するとともに、その配電系統にバンク２次側電圧を調整するタップ切換変圧器を有し、その変圧器のバンク２次側電圧をタップ切換により制御する電圧調整継電器を備え、そのタップ切換を電圧調整継電器に設定する基準電圧により制御する方法において、
基準電圧は、複数の分散型電源の逆潮流量総和値を求めた後に、その総和値とバンク２次側電流値とを加算し、その加算により得られた値に基づいて算出することを特徴とする電圧調整継電器の基準電圧算出方法である。
【００１０】
第２発明は、配電系統の全ての配電線の電流を電圧調整に入力した後に、各配電線のインピーダンス特性から各配電線電流に対して、重負荷電圧と電流、軽負荷電圧と電流を整定してから、各配電線に対し基準電圧を求め、求めた基準電圧の中で最も高い電圧値を算出して電圧調整継電器の基準電圧することを特徴とする電圧調整継電器の基準電圧算出方法である。
【発明の効果】
【００１１】
以上述べたように、この発明によれば、分散型電源の連系による逆潮流の影響を考慮した電圧調整継電器の基準電圧を算出することができる。
【発明を実施するための最良の形態】
【００１２】
以下この発明の実施の形態を図面に基づいて説明する。図１はこの発明の実施の第１形態を示す概略的な構成図で、この第１形態において、図５と同一部分には同一符号を付して説明する。
【００１３】
図１において、配電系統の配電線Ｌ１〜Ｌ３の配電線Ｌ１，Ｌ２に接続される分散型電源ＤＧ1〜ＤＧnには、変流器ＣＴ1〜ＣＴnを設け、この変流器ＣＴ1〜ＣＴnにより検出した分散型電源ＤＧ1〜ＤＧnの逆潮流の量ＩDG1〜ＩDGnを、通信線路ＣＬ1〜ＣＬnを介して電圧調整継電器90Ryに伝送する。
【００１４】
電圧調整継電器90Ryは、伝送されてきた逆潮流の量ＩDG1〜ＩDGnの総和を求め、その総和に次式を用いてバンク２次電流Ｉsを加算し、基準電圧値を算出する。
【００１５】
【数１】
2005266988.tif 000003
【００１６】
上記のように電圧調整継電器90Ryの基準電圧値を設定する際に、図２に示すように逆潮流の総和値（上記式）の分だけ、基準電圧値Ｖs2を、負荷電流Ｉs1だけによる基準電圧値Ｖｓ1より高い値に設定できるようになる。なお、図２は、横軸にバンク２次電流Ｉsを、縦軸にバンク２次基準電圧Ｖsをとった特性図である。
【００１７】
図３はこの発明の実施の第２形態を示す概略的な構成図で、この第２形態においては、全ての配電線Ｌ１〜Ｌ４に変流器ＣＴ1〜ＣＴ4を設け、これら変流器ＣＴ1〜ＣＴ4で検出した電流Ｉ1〜Ｉ4を、電圧調整継電器90Ryに入力させる。なお、図３において、図１と同一部分には同一符号を付して示す。
【００１８】
各配電線Ｌ１〜Ｌ４のインピーダンスＺ特性から各配電線電流Ｉiに対して、図４に示すように、重負荷電圧ＶMAXi、軽負荷電圧ＶMINi、重負荷電流ＩMAXi、軽負荷電流ＩMINi、を整定する。
【００１９】
その後、各配電線Ｌ１〜Ｌ４に対し、配電線基準電圧値Ｖsを求める。そして、その基準電圧値Ｖsiの中で最も高い電圧値のものを、電圧調整継電器90Ryの基準電圧値Ｖsとして採用する。
【００２０】
なお、図４は、横軸に各配電線電流Ｉiを、縦軸は各配電線基準電圧Ｖsiをとった特性図である。
【図面の簡単な説明】
【００２１】
【図１】この発明の実施の第１形態を示す概略的な構成図。
【図２】バンク２次電流Ｉs対バンク２次基準電圧Ｖsの特性図。
【図３】この発明の実施の第２形態を示す概略的な構成図。
【図４】各配電線電流Ｉi対各配電線基準電圧Ｖsiの特性図。
【図５】タップ切換変圧器の２次側の配電系統に分散型電源を接続した構成図。
【図６】負荷電流対バンク２次電圧の特性図。
【符号の説明】
【００２２】
ＤＧ1〜ＤＧn…分散型電源
Ｔtap…タップ切換変圧器
90Ry…電圧調整継電器
ＣＴ，ＣＴ1〜ＣＴn…変流器
ＣＬ1〜ＣＬn…通信線路
ＰＴ…補助変圧器
【図１】
2005266988.tif 000004
【図２】
2005266988.tif 000005
【図３】
2005266988.tif 000006
【図４】
2005266988.tif 000007
【図５】
2005266988.tif 000008
【図６】
2005266988.tif 000009